(57)【要約】【課題】  螺子が形成される螺合部材に螺合させる開始動作を容易にできるナットを提供する。【解決手段】  孔部２を備え、螺子が形成される螺合部材１００に螺合されるナット１において、孔部２に、対応する螺子が形成されて螺合部材１００に螺合される螺合部３と、螺合部３から一方の開口端部４に向けて開口が広がるように形成されて螺合部材１００を案内可能な案内部５とを備えることを特徴とする。【選択図】図２
2009002481.tif 000002
【特許請求の範囲】
【請求項１】
孔部を備え、螺子が形成される螺合部材に螺合されるナットにおいて、孔部に、対応する螺子が形成されて螺合部材に螺合される螺合部と、螺合部から一方の開口端部に向けて開口が広がるように形成されて螺合部材を案内可能な案内部とを備えることを特徴とするナット。
【請求項２】
螺合部材に螺合されるのに用いられて少なくとも一部が収容される収容部に凸部又は凹部が設けられる工具に対して、収容部に収容される状態で収容部の凸部又は凹部に係止可能な凹部又は凸部を収容部に収容される部位の外周部に備える請求項１に記載のナット。
【請求項３】
螺合部材に螺合されるのに用いられて一部が収容される収容部を備える工具に対して、収容部に収容される状態で収容部に掛止可能な掛止部を収容部から突出する部位の外周部に備える請求項１に記載のナット。
【請求項４】
螺合部材に螺合されるのに用いられて一部が収容される収容部に凸部又は凹部が設けられる工具に対して、収容部に収容される状態で収容部の凸部又は凹部に係止可能な凹部又は凸部を収容部に収容される部位の外周部に備えると共に、収容部に収容される状態で収容部に掛止可能な掛止部を収容部から突出する部位の外周部に備える請求項１に記載のナット。
【請求項５】
案内部は、螺合部と隣接する部位に、螺合部の谷の径と同一又は略同一の径に形成されると共に、螺合部の軸線と同一又は略同一の軸線に形成されて、螺合部材及び螺合部の軸線を一致又は略一致させる軸合わせ部を備える請求項１〜４の何れか１項に記載のナット。
【請求項６】
一方の開口端部は、鍔部を備えると共に、螺合部の軸線と直交又は略直交する平面状に形成される請求項１〜５の何れか１項に記載のナット。
【請求項７】
螺子が形成される螺合部材において、少なくとも一部が収容される収容部に凸部又は凹部が設けられる工具に対して、収容部に収容される状態で収容部の凸部又は凹部に係止可能な凹部又は凸部を収容部に収容される部位の外周部に備えることを特徴とする螺合部材。
【請求項８】
螺子が形成される一対の螺合部材を互いに螺合させるのに用いられ、一方の螺合部材の少なくとも一部を収容する収容部を備える工具において、収容部は、収容される部位の外周部に凹部又は凸部を備える螺合部材に対して、螺合部材を収容する状態で螺合部材の凹部又は凸部に係止可能な凸部又は凹部を備えることを特徴とする工具。
【請求項９】
螺子が形成される一対の螺合部材を互いに螺合させるのに用いられ、一方の螺合部材の少なくとも一部を収容する収容部と、収容部と絶縁させる棒状の絶縁部とを備える絶縁操作棒において、収容部は、収容される部位の外周部に凹部又は凸部を備える螺合部材に対して、螺合部材を収容する状態で螺合部材の凹部又は凸部に係止可能な凸部又は凹部を備えることを特徴とする絶縁操作棒。
【請求項１０】
間接活線工事に使用される絶縁操作棒の先端部に固定され、螺子が形成される一対の螺合部材を互いに螺合させるのに用いられる絶縁操作棒の先端工具において、一方の螺合部材の少なくとも一部を収容する収容部と、絶縁操作棒の先端部に固定される固定部とを備え、収容される部位の外周部に凹部又は凸部を備える螺合部材に対して、螺合部材を収容する状態で螺合部材の凹部又は凸部に係止可能な凸部又は凹部を備えることを特徴とする絶縁操作棒の先端工具。
【発明の詳細な説明】
【技術分野】
【０００１】
本発明は、螺子が形成される螺合部材（例えばボルト）に螺合されるナットに関する。
【背景技術】
【０００２】
従来、螺子が形成される孔部を中央部に備える略六角柱形状のナットが知られている。そして、例えば螺子が形成されるボルトにナットを螺合させるのに、ナットの開口端部にボルトの端部を当接させた後、ボルト及びナットの螺子の始点同士から螺合させるという螺合の開始動作が必要となる。
【発明の開示】
【発明が解決しようとする課題】
【０００３】
しかしながら、かかる螺合の開始動作を直接的に手で行うのではなく、スパナやレンチ等の工具を使用して間接的に行うのは、微調整が容易でないため、非常に困難である。
【０００４】
よって、本発明は、かかる事情に鑑み、螺子が形成される螺合部材に螺合させる開始動作を容易にできるナットを提供することを課題とする。
【課題を解決するための手段】
【０００５】
本発明にかかるナットは、孔部を備え、螺子が形成される螺合部材に螺合されるナットにおいて、孔部に、対応する螺子が形成されて螺合部材に螺合される螺合部と、螺合部から一方の開口端部に向けて開口が広がるように形成されて螺合部材を案内可能な案内部とを備えることを特徴とする。
【０００６】
本発明によれば、螺子が形成される螺合部材にナットを螺合させるのに、一方の開口端部に向けて開口が広がる案内部で螺合部材を案内できるため、螺合部材を螺合部まで案内するのが容易となり、その結果、螺子が形成される螺合部材に螺合させる開始動作を容易にできる。
【０００７】
また、本発明にかかるナットにおいては、螺合部材に螺合されるのに用いられて少なくとも一部が収容される収容部に凸部又は凹部が設けられる工具に対して、収容部に収容される状態で収容部の凸部又は凹部に係止可能な凹部又は凸部を収容部に収容される部位の外周部に備えてもよい。かかる構成によれば、ナットの凹部又は凸部を工具の収容部の凸部又は凹部で係止するため、工具の収容部があらゆる方向を向いても（傾いたり、下方を向いたりしても）、工具の収容部からナットが離脱して落下するのを防止できる。
【０００８】
また、本発明にかかるナットにおいては、螺合部材に螺合されるのに用いられて一部が収容される収容部を備える工具に対して、収容部に収容される状態で収容部に掛止可能な掛止部を収容部から突出する部位の外周部に備えてもよい。かかる構成によれば、工具の収容部にナットを収容すると、収容部から突出するナットの部位に設けられる掛止部を工具の収容部で掛止するため、ナットを工具で保持（把持）するのが容易にできる。
【０００９】
また、本発明にかかるナットにおいては、螺合部材に螺合されるのに用いられて一部が収容される収容部に凸部又は凹部が設けられる工具に対して、収容部に収容される状態で収容部の凸部又は凹部に係止可能な凹部又は凸部を収容部に収容される部位の外周部に備えると共に、収容部に収容される状態で収容部に掛止可能な掛止部を収容部から突出する部位の外周部に備えてもよい。かかる構成によれば、例えば、ナットを手で把持すると、指がナットの掛止部に掛止できるため、工具の収容部に収容する際に誤ってナットを落とすのを防止できる。さらに、工具の収容部に収容した後は、ナットの凹部又は凸部を工具の収容部の凸部又は凹部で係止するため、工具の収容部があらゆる方向を向いても、工具の収容部からナットが離脱して落下するのを防止できる。
【００１０】
また、本発明にかかるナットにおいては、案内部は、螺合部と隣接する部位に、螺合部の谷の径と同一又は略同一の径に形成されると共に、螺合部の軸線と同一又は略同一の軸線に形成されて、螺合部材及び螺合部の軸線を一致又は略一致させる軸合わせ部を備えてもよい。かかる構成によれば、螺合部材にナットを螺合させるのに、軸合わせ部によって、螺合部と軸線が一致又は略一致した状態で螺合部材を螺合部へ案内できるため、螺合部材に螺合部を螺合させる開始動作がさらに容易にできる。
【００１１】
また、本発明にかかるナットにおいては、一方の開口端部は、鍔部を備えると共に、螺合部の軸線と直交又は略直交する平面状に形成されてもよい。かかる構成によれば、例えば、一方の開口端部に母材を当接させて締め付け（螺合）が完了する場合において、母材と当接する面積が鍔部を備えない場合と比較して大きくなるため、端部の単位面積当たりにかかる荷重を小さくでき、その結果、端部の設計強度を小さくすることもできる。
【００１２】
本発明にかかる螺合部材は、螺子が形成される螺合部材において、少なくとも一部が収容される収容部に凸部又は凹部が設けられる工具に対して、収容部に収容される状態で収容部の凸部又は凹部に係止可能な凹部又は凸部を収容部に収容される部位の外周部に備えることを特徴とする。かかる構成によれば、螺合部材の凹部又は凸部を工具の収容部の凸部又は凹部で係止できるため、工具の収容部が何れの方向を向いても、工具の収容部から螺合部材を離脱して落下するのを防止できる。
【００１３】
本発明にかかる工具は、螺子が形成される一対の螺合部材を互いに螺合させるのに用いられ、一方の螺合部材の少なくとも一部を収容する収容部を備える工具において、収容部は、収容される部位の外周部に凹部又は凸部を備える螺合部材に対して、螺合部材を収容する状態で螺合部材の凹部又は凸部に係止可能な凸部又は凹部を備えることを特徴とする。かかる構成によれば、螺合部材を収容部に収容すると、収容部の凸部又は凹部で螺合部材の凹部又は凸部を係止できるため、工具の収容部が何れの方向に向いても、螺合部材が収容部から脱落して落下するのを防止できる。
【００１４】
本発明にかかる絶縁操作棒は、螺子が形成される一対の螺合部材を互いに螺合させるのに用いられ、一方の螺合部材の少なくとも一部を収容する収容部と、収容部と絶縁させる棒状の絶縁部とを備える絶縁操作棒において、収容部は、収容される部位の外周部に凹部又は凸部を備える螺合部材に対して、螺合部材を収容する状態で螺合部材の凹部又は凸部に係止可能な凸部又は凹部を備えることを特徴とする。かかる構成によれば、螺合部材を収容部に収容すると、収容部の凸部又は凹部で螺合部材の凹部又は凸部を係止できるため、工具の収容部が何れの方向に向いても、螺合部材が収容部から脱落して落下するのを防止できる。
【００１５】
本発明にかかる絶縁操作棒の先端工具は、間接活線工事に使用される絶縁操作棒の先端部に固定され、螺子が形成される一対の螺合部材を互いに螺合させるのに用いられる絶縁操作棒の先端工具において、一方の螺合部材の少なくとも一部を収容する収容部と、絶縁操作棒の先端部に固定される固定部とを備え、収容される部位の外周部に凹部又は凸部を備える螺合部材に対して、螺合部材を収容する状態で螺合部材の凹部又は凸部に係止可能な凸部又は凹部を備えることを特徴とする。かかる構成によれば、螺合部材を収容部に収容すると、収容部の凸部又は凹部で螺合部材の凹部又は凸部を係止できるため、工具の収容部が何れの方向に向いても、螺合部材が収容部から脱落して落下するのを防止できる。
【発明の効果】
【００１６】
したがって、螺子が形成される螺合部材にナットを螺合させるのに、開口端部に向けて開口が広がる案内部で螺合部材を案内できるため、螺合部材を螺合部まで案内するのが容易となり、その結果、螺子が形成される螺合部材に螺合させる開始動作を容易にできるという優れた効果を奏する。
【発明を実施するための最良の形態】
【００１７】
以下、本発明にかかるナット（螺合部材）及び工具における一実施形態について、添付図面を参照して説明する。具体的には、図１に示すように、ケーブルを支持するための碍子Ｘを電柱に支持される腕金Ｙに固定するのに、碍子Ｘに設けられて螺子が形成される螺合部材１００にナット１を工具２１で螺合させる場合について説明する。
【００１８】
本実施形態にかかるナット１は、図２に示すように、孔部２を備え、孔部２に、螺合される螺合部材１００に対応する螺子が形成される螺合部３と、螺合部３から一方の開口端部４に向けて開口が広がるように形成されて螺合部材１００を案内可能な案内部５とを備える。具体的には、ナット１は、中央部に直線状に形成される孔部２を備え、螺合部３の軸線と直交する面における断面の内縁が一方の開口端部に向けて拡径する円状に形成される。
【００１９】
また、ナット１は、螺合部材１００に螺合されるのに用いられて少なくとも一部が収容される収容部に凸部が設けられる工具２１（「工具２１」、「収容部」、及び「凸部」についての詳細は後述する）に対して、収容部に収容される状態で収容部の凸部に係止可能な複数の凹部６，…を収容部に収容される部位の外周部７に備える。加えて、ナット１は、工具の収容部から突出する部位の外周部７に、収容部に収容される状態で収容部に掛止（係止）可能な掛止部８を備える。
【００２０】
さらに、ナット１は、一方の開口端部４が、鍔部９を備えると共に、螺合部３の軸線と直交又は略直交する平面状に形成される。具体的には、ナット１の一方の開口端部４は、鍔部９を備えることで、螺合部３の軸線方向に対して直交又は略直交する断面における外周長が最大となるように形成される。また、一方の開口端部４は、螺合部３の軸線方向に対して直交又は略直交する断面における厚み（幅）寸法が、最大となるように形成される。
【００２１】
案内部５は、螺合部３と隣接する部位に、螺合部３の谷の径と同一又は略同一の径に形成されると共に、螺合部３の軸線と同一又は略同一の軸線に形成されて、螺合部材１００及び螺合部３の軸線を一致又は略一致させる軸合わせ部５ａを備える。また、案内部５は、軸合わせ部５ａより一方の開口端部４側が、一方の開口端部４に向けてナット１の内径が徐々に拡径して構成される。そして、案内部５は、螺子や凹凸が形成されず、表面が平滑に形成される。
【００２２】
軸合わせ部５ａは、ナット１の内径寸法が螺合部材１００の螺合される部位の外径寸法より大きく形成されて構成される。具体的には、軸合わせ部５ａは、螺合部材１００の螺子が形成される部位を緩嵌可能に構成される。また、軸合わせ部５ａは、螺合部材１００を案内すると、螺合部材１００及び螺合部３の軸線が同一又は略同一となるように、螺合部３の軸線方向において所定距離を有する。
【００２３】
凹部６，・・・は、螺合部３の軸線方向に対して略同位置に配置される。また、凹部６，…は、他方の開口端部１０側が略六角柱状に形成されるナット１の外周部７における六つの外壁部にそれぞれ設けられる。具体的には、凹部６は、半円球状に凹んで設けられる。
【００２４】
掛止部８は、一方の開口端部４側に向けてナット１の外縁が大きくなるように形成されて構成される。具体的には、掛止部８は、螺合部３の軸線方向に対して直交又は略直交する断面におけるナット１の外周長が、一方の開口端部４側に向けて長くなるように形成される。さらに具体的には、掛止部８は、ナット１における一方の開口端部４側の部位が一方の開口端部４側に向けて徐々に拡径する円錐台状に形成されて構成される。
【００２５】
また、図３に示すように、本実施形態にかかる工具２１は、間接活線工事に使用される絶縁操作棒２２と、絶縁操作棒２２の先端部に固定され、螺合部材１００とナット１を螺合させるのに用いられる先端工具２３とを備える。
【００２６】
絶縁操作棒２２は、一方の先端部に先端工具２３を固定する固定手段２４と、先端工具２３や固定手段２４と（電気的に）絶縁させる棒状の絶縁部２５と、絶縁部２５より他方の先端部側に作業員に握られる把手部２６とを備える。また、絶縁操作棒２２は、絶縁部２５及び把持部２６間に作業員を保護するための安全限界鍔２７を備える。さらに、絶縁操作棒２２は、例えば降水後の作業時において、一方の先端部側から伝わってくる雨水を把手部２６に伝わるのを防止する水切鍔２８を絶縁部２５に備える。
【００２７】
先端工具２３は、ナット１の少なくとも一部を収容する収容部２９と、絶縁操作棒２２の先端部に固定される固定部３０とを備える。具体的には、先端工具２３は、図４〜６に示すように、収容されるナット１に対応する形状に形成される凹状の収容部位を設けて収容部２９を構成する。より具体的には、先端工具２３は、略六角柱状である凹状の収容部位を設けて収容部２９を構成する。
【００２８】
また、先端工具２３は、収容部２９を回転可能に構成され、収容部２９及びナット１が当接して（係合して）ナット１を回転可能に構成される。具体的には、先端工具２３は、選択可能な正逆何れか一方向のみに収容部２９を回転させるラチェット機構を備え、回転させる収容部２９の内周部及び収容されるナット１の外周部７が当接して（係合して）、ナット１を回転させて螺合部材１００に螺合可能に構成される。
【００２９】
収容部２９は、収容される部位の外周部７に凹部６，…を備えるナット１に対して、ナット１を収容する状態でナット１の凹部６，…に係止可能な複数の凸部３１，…を備える。具体的には、収容部２９は、複数の凹部６，…を備えるナット１の外周部７と対向する内周部に複数の凸部３１，…を備える。より具体的には、収容部２９は、略六角柱状である凹状の収容部位を構成する六つの内壁部にそれぞれ凸部３１，…を備える。
【００３０】
凸部３１は、半球状に形成されるナット１の凹部６に対応して、球体の一部が突出する形状に形成される。また、凸部３１は、突出する方向に対して変位可能に構成される。具体的には、凸部３１は、ナット１が収容部２９に収容されるのに挿入される方向に対して直交又は略直交する方向、即ち、収容部２９の内周部及び収容されたナット１の部位が対向する方向に変位可能に構成される。より具体的には、凸部３１は、収容部２９の内周部に設けられる開口部３２から一部が突出可能に構成される球部材３３の突出部位が該当する。
【００３１】
開口部３２は、収容部２９の内周部に向けて徐々に縮径される球収容部３４の端部で構成される。また、球状部材３３は、球収容部３４内部における開口部３２と反対側に配置される弾性体３５（例えばバネ）の伸縮によって、開口部３２から一部が突出可能に構成される。したがって、先端工具２３の収容部２９にナット１を収容するのに、挿入されるナット１の外周部７に沿って（摺動して）凸部３１が変位可能に構成される。
【００３２】
本実施形態にかかるナット１及び工具２１の構成は以上の通りであり、次に、かかるナット１及び工具２１を用いて螺合部材１００にナット１を螺合させる作用について説明する。
【００３３】
まず、工具２１の収容部２９にナット１を収容するのにナット１を手で把持しようとすると、ナット１の外周部７に設けられる掛止部８を掛止できる。具体的には、螺合部３の軸線を上下方向にして厚手の手袋をした手でナット１を把持しようとすると、ナット１の外周部７に設けられる掛止部８を下方側（他方の開口端部側１０）から手（指）で掛止して把持できるため、厚手の手袋をした手でも安定した状態でナット１を把持できる。
【００３４】
そして、先端工具２３の収容部２９にナット１を収容する際に、収容部２９の内周部に設けられる凸部３１，…がナット１の外周部７に沿って変位するため、円滑に収容（挿入）できる。そして、ナット１の他方の開口端部１０側が収容部２９に収容されると、ナット１の外周部７に設けられる凹部６，…が、先端工具２３の収容部２９に設けられる凸部３１，…に係止される。
【００３５】
その後、螺合部材１００にナット１を螺合させるのに、一方の開口端部４側から螺合部材１００を孔部２に挿入して、一方の開口端部４に向けて開口が広がる（内部に向けて開口が狭まる）案内部５で螺合部材１００を案内する。具体的には、螺合部材１００の端部を案内部５に当接させて、さらに、案内部５に摺接させて案内させる。その際に、当接する部位を支点としてナット１を変位（回転）させて、螺合部材１００の端部を孔部２に挿入させてもよい。
【００３６】
さらに、螺合部材１００を案内部５で案内すると、螺合部材１００が軸合わせ部５ａまで案内される。そして、軸合わせ部５ａに沿って螺合部材１００を案内すると、螺合部材１００及び螺合部３の軸線が一致又は略一致した状態で、螺合部材１００を螺合部３へ案内できる。具体的には、螺合部材１００を軸合わせ部５ａに摺接させて螺合部３まで案内させる。より具体的には、軸合わせ部５ａに螺合部材１００を緩嵌させる。
【００３７】
そして、螺合部材１００に螺合部３を螺合させると、ナット１における一方の開口端部４に腕金Ｙの下面が当接して、碍子Ｘが腕金Ｙに固定される。その際、一方の開口端部４に鍔部９を備えない場合と比較して、ナット１の開口端部４は、腕金Ｙの下面と当接する面積が大きくなるため、単位面積当たりにかかる荷重が小さくなる。
【００３８】
以上より、本実施形態にかかるナット１は、一方の開口端部４に向けて開口が広がる案内部５で螺合部材１００を案内する構成であるため、螺合部材１００を孔部２に挿入するのが容易であり、その結果、螺合部材１００を螺合部３まで案内するのが容易にできる。したがって、螺合部材１００に螺合部３を螺合させる開始動作が容易にできる。
【００３９】
また、本実施形態にかかるナット１は、外周部７に設けられる凹部６，…が先端工具２３の収容部２９に設けられる凸部３１，…に係止されるため、先端工具２３の収容部２９が傾いたり、下方を向いたりしても、先端工具２３の収容部２９から離脱したり、落下したりするのを防止できる。
【００４０】
また、本実施形態にかかるナット１は、外周部７に掛止部８を備えるため、工具２１の収容部２９に収容されるのに手で把持されると、他方の開口端部１０側から掛止部８を掛止されるため、安定した状態で把持され、その結果、誤って落下されることなく工具２１の収容部２９に収容される。
【００４１】
さらに、例えば、図７に示すように、凹凸のない平面状の内壁部から構成される収容部４０を備える工具４１で螺合部材１００に螺合される場合、掛止部８が収容部４０に掛止され、安定した状態で工具に把持される。具体的には、掛止部８は、他方の開口端部１０側が工具４１（収容部４０）の上面側に当接されて掛止される。
【００４２】
また、本実施形態にかかるナット１は、軸合わせ部５ａに沿って螺合部材１００を案内させる構成であるため、螺合部材１００及び螺合部３の軸線が一致又は略一致した状態で螺合部材１００を螺合部３に案内できるため、その結果、螺合部材１００に螺合部３に螺合させる開始動作をさらに容易にできる。
【００４３】
また、本実施形態にかかるナット１は、一方の開口端部４に鍔部９を備えるため、例えば鍔部９を備えない場合と比較して、開口端部４における単位面積当たりにかかる荷重が小さくなり、その結果、開口端部４の設計強度を小さくすることもできる。
【００４４】
また、例えば、腕金Ｙの下面側（ナット１に当接される側）に設けられる螺合部材１００に挿通される孔の内径に対して、ナット１における一方の開口端部４の外径が小さいと、一方の開口端部４の一部が腕金Ｙの孔に入り込み、ナット１による碍子Ｘの固定状態が不安定となる可能性がある。しかし、一方の開口端部４に鍔部９を備えることで、かかる可能性を小さくでき、腕金Ｙ（母材）の孔の内径に対してフレキシブルに対応できる。
【００４５】
なお、本発明のナットや工具は、上記した実施の形態に限定されるものではなく、本発明の要旨を逸脱しない範囲内において種々変更を加え得ることは勿論である。
【００４６】
本発明にかかるナットは、ナット１における一方の開口端部４に緩み止め手段を備えてもよい。具体的には、一方の開口端部は、図８（ａ）及び（ｂ）に示すように、例えばバネ座金のように、弾性作用により緩み止めを規制させる弾性部４２，４３を備えてもよく、また、図８（ｃ）に示すように、例えば菊座のように、腕金Ｙ（母材）に食い込ませて緩む方向の回転を規制させる突起部４４，…を備えてもよく、さらに、磁気を帯びる腕金Ｙ（母材）に固着させるべく、磁気を帯びる材質で形成されてもよい。
【００４７】
また、上記実施形態にかかるナット１は、掛止部８より他方の開口端部１０側における部位の外周部７に複数の凹部６，…を備える場合を説明したが、形状、数、設けられる部位等について、かかる場合に限定されない。具体的には、図９（ａ）に示すように、ナット４５の外周部に亘って連続する形状、即ち、環状の溝状に形成される凹部４６でもよく、図９（ｂ）に示すように、ナット４７の外周部における掛止部４８を構成する部位に設けられる凹部４９，…でもよく、さらに、外周部から孔部まで続く貫通孔で構成される凹部でもよい。
【００４８】
また、上記実施形態にかかるナット１は、工具２１の収容部２９に設けられる凸部３１，…に係止可能な凹部６，…を外周部７に備える場合を説明したが、図９（ｃ）に示すように、工具の収容部に設けられる凹部（図示しない）に係止可能な凸部５０，…をナット５１の外周部に備えてもよい。
【００４９】
また、本実施形態にかかる工具２１は、外周部７に凹部６，…を備えるナット１を螺合させる場合を説明したが、収容部２９に収容する螺合部材はナット１に限られない。例えば、図１０（ａ）に示すように、ボルト５２の外周部５３に設けられる凹部５４に収容部２９の凸部３１，…を係止させて、他の螺合部材にボルト５２を螺合させてもよい。要するに、収容部２９に収容される螺合部材の部位に設けられる凹部に、収容部２９に設けられる凸部３１，…を係止させて他の螺合部材に螺合部材を螺合させてもよい。
【００５０】
また、本実施形態にかかる工具２１は、ナット１の外周部７に設けられる凹部６，…に係止可能な凸部３１，…を収容部２９に備える場合を説明したが、ナットの外周部に設けられる凸部（例えば図９（ｃ）のナット本体５１の凸部５０）に係止可能な凹部を収容部に備えてもよい。要するに、収容部に収容される螺合部材の部位に設けられる凸部に、収容部に設けられる凹部を係止させて他の螺合部材に螺合部材を螺合させてもよい。
【００５１】
また、本実施形態にかかる工具２１は、球部材３３の変位によって凸部３１を変位させる場合を説明したが、かかる場合に限定されない。例えば、図１０（ｂ）に示すように、工具本体５５に固定される固定あご５６と固定あご５６に相対変位可能な可動あご５７とを備える工具５８（モンキーレンチ５８）において、固定あご５６及び可動あご５７にそれぞれ設けられる凸部５９，６０が、螺合部材の外周部に設けられる凹部（例えば図１０（ａ）のボルト５２の凹部５４）に係止可能に構成されてもよい。また、例えば、収容部の凸部又は収容部の内周部の少なくとも一部は、弾性体（例えばゴム）で形成されて、ナット１を収容する際にナット１の外周部７に沿って変形することで変位可能に構成されてもよい。
【００５２】
また、本実施形態にかかる工具２１は、収容部２９を備える先端工具２３が絶縁操作棒２２の先端部に固定される場合を説明したが、絶縁操作棒の先端部にナット１の収容部を備えてもよい。
【００５３】
また、本発明にかかる工具は、絶縁操作棒が、先端部が円周方向に回転可能に構成されると共に、図１１に示すように、絶縁操作棒の先端部に固定部６１を介して固定される先端工具６２が、絶縁操作棒の先端部の回転を収容部６３に伝達して、収容部６３を回転させる伝達部６４を備え、伝達部６４は、絶縁操作棒の軸線に対する収容部６３の回転軸線の角度を調整可能に構成されてもよい。具体的には、伝達部６４は、可撓性を有し、絶縁操作棒の先端部の回転を収容部６３に伝達して、収容部及び収容されるナット（螺合部材）が当接して（係合して）ナットを回転させる方向に、収容部６３を回転可能に構成されてもよい。
【００５４】
より具体的には、伝達部６４は、可撓性のある内芯部６５と、内芯部６５の強度を補強すべく、内芯部６５の外周部に沿って（図１１においては螺旋状に）配置される可撓性のある外芯部６６と、内芯部６５及び外芯部６６を被覆すべく、内芯部６５及び外芯部６６を内部に収容する可撓性のある筒状体６７とを備え、絶縁操作棒の先端部の回転に伴って少なくとも内芯部６５が回転することにより、絶縁操作棒の先端部の回転を収容部６３に伝達して収容部６３を回転可能に構成されてもよい。かかる構成によれば、収容部６３は、絶縁操作棒の軸線に対して、自在な方向に曲折可能であり、あらゆる角度に回転軸線を調整できる。
【図面の簡単な説明】
【００５５】
【図１】本発明の一実施形態にかかるナットの全体図及び工具の要部概略図であって、正面図を示す。
【図２】同ナットの全体図であって、（ａ）は上面図、（ｂ）は正面図、（ｃ）は（ａ）のＡ−Ａ線における断面図、（ｄ）は下面図を示す。
【図３】同工具の要部概略図であって、（ａ）は正面図、（ｂ）は側面図を示す。
【図４】同工具の先端工具の要部概略図であって、斜視図を示す。
【図５】同ナットの全体図及び工具の要部概略図であって、工具の収容部の凸部が入り込んだ状態における、（ａ）は正面図、（ｂ）は（ａ）のＢ−Ｂ線における断面図を示す。
【図６】同ナットの全体図及び工具の要部概略図であって、工具の収容部の凸部が突出する状態における、（ａ）は正面図、（ｂ）は（ａ）のＣ−Ｃ線における断面図を示す。
【図７】同ナットの全体図であって、凸部のない収容部の工具で掛止される状態における、（ａ）は上面図、（ｂ）は正面図、（ｃ）は下面図を示す。
【図８】本発明にかかるナットの変更例の全体図であって、（ａ）〜（ｃ）はそれぞれ正面図を示す。
【図９】本発明にかかるナットの別の変更例の全体図であって、（ａ）〜（ｃ）はそれぞれ正面図を示す。
【図１０】（ａ）は、本発明にかかる螺合部材の変更例の全体図、（ｂ）は、本発明にかかる工具の変更例の要部概略図を示す。
【図１１】本発明にかかる工具（絶縁操作棒）の先端工具の全体図であって、断面図を示す。
【符号の説明】
【００５６】
１…ナット、２…孔部、３…螺合部、４…一方の開口端部、５…案内部、５ａ…軸合わせ部、６…凹部、７…外周部、８…掛止部、９…鍔部、２１…工具、２２…絶縁操作棒、２３…先端工具、２５…絶縁部、２９…収容部、３０…固定部、３１…凸部、５２…螺合部材、１００…螺合部材
【図１】
2009002481.tif 000003
【図２】
2009002481.tif 000004
【図３】
2009002481.tif 000005
【図４】
2009002481.tif 000006
【図５】
2009002481.tif 000007
【図６】
2009002481.tif 000008
【図７】
2009002481.tif 000009
【図８】
2009002481.tif 000010
【図９】
2009002481.tif 000011
【図１０】
2009002481.tif 000012
【図１１】
2009002481.tif 000013